(57)【特許請求の範囲】
【請求項１】
処理対象の流体が流入する流入口と前記流体が流出する流出口とを備えたベース体に、前記流体を濾過処理するための濾過体を内蔵した浄化器本体を結合させた構造を有し、
前記浄化器本体が、
筒長手方向の一端部を開口した有底筒状のケースと、処理材を収容して前記ケース内に収納保持される筒状の濾過体とからなり、
前記濾過体が、
処理材を収容した筒状の処理材収納体と、前記ケース内に挿入した前記筒状の処理材収納体を押圧保持するキャップ部材を備え、
前記キャップ部材が、本体側流入口及び本体側流出口を備える浄化器であって、
前記ケースに突部を設けるとともに、前記ケースの突部に密着接当してケースへの各部材の収納状態を保持する突部を前記キャップ部材に設け、
前記浄化器本体の端部と、前記ベース体に形成した受け部とが接当状態で相対回転自在であり、
前記相対回転における所定回転位置で、
前記ベース体の前記流入口に連なる流路が前記本体側流入口に連通すると共に
前記ベース体の前記流出口に連なる流路が前記本体側流出口に連通し、
且つ、その連通した流路部分が外部から密封される状態で前記浄化器本体と前記ベース体が接近するように、前記ベース体に備えた被係合部に、前記ケースの突部が係合部として係合する浄化器。
【請求項２】
前記ベース体の前記流入口に連なる流路と前記流出口に連なる流路が、前記受け部において、前記相対回転の軸心を中心として互いに異なる半径の同軸状領域として形成され、前記本体側流入口と前記本体側流出口の夫々が、前記同軸状領域の前記流入口と前記流出口の夫々に連なる流路に連通するように、前記相対回転の軸心を中心として互いに異なる半径の同軸状領域として形成されている請求項１に記載の浄化器。
【請求項３】
前記係合部と前記被係合部とが係合した状態を保持する係合状態保持手段を備えている請求項１又は２に記載の浄化器。
【請求項４】
処理対象の流体が流入する流入口と前記流体が流出する流出口とを備えたベース体に結合され、前記流体を濾過処理するための濾過体を内蔵した浄化器本体であって、
筒長手方向の一端部を開口した有底筒状のケースと、処理材を収容して前記ケース内に収納保持される筒状の濾過体とからなり、
前記濾過体が、
処理材を収容した筒状の処理材収納体と、前記ケース内に挿入した前記筒状の処理材収納体を押圧保持するキャップ部材を備え、
前記キャップ部材が、本体側流入口及び本体側流出口を備え、
前記ケースに突部を設けるとともに、前記ケースの突部に密着接当してケースへの各部材の収納状態を保持する突部を前記キャップ部材に設け、
端部と、前記ベース体に形成した受け部とが接当状態で相対回転自在であり、
前記相対回転における所定回転位置で、
前記ベース体の前記流入口に連なる流路が前記本体側流入口に連通すると共に
前記ベース体の前記流出口に連なる流路が前記本体側流出口に連通し、
且つ、その連通した流路部分が外部から密封される状態で前記ベース体に接近するように、前記ベース体に備えた被係合部に、前記ケースの突部が係合部として係合する浄化器本体。
【発明の詳細な説明】
【０００１】
【発明の属する技術分野】
本発明は、処理対象の流体が流入する流入口と前記流体が流出する流出口とを備えたベース体に、前記流体を濾過処理するための処理材を内蔵した浄化器本体を結合させた構造の浄化器に関する。
【０００２】
【従来の技術】
上記構造の浄化器は例えば水を処理対象の流体とする浄水器として使用されるものである。従来の浄化器では、ベース体に浄化器本体を結合させる場合に、図１１に示すように、流入口３０Ａと流出口３０Ｂとを備えたベース体３０の上部に形成した受け部３０Ｃに、円筒状の胴体部３１の下端部をボルト３５で締め付けて固定するとともに、濾過処理用の処理材Ｓを収容したフィルターカートリッジ等の充填物を胴体部３１の内部に収納して保持させ、最後に、胴体部３１の上端部にフランジ３４（鏡板部）をボルト３６で締め付けて固定し、上記カートリッジの上端部を保持すると共に浄化器の内部を外部から密封するようにしていた。尚、上記処理材Ｓは、胴体部３１の中心に位置する円筒状の容器３３に収容されたセラミックスフィルターや、このセラミックスフィルター容器３３を囲む同軸状の容器３２に収容された繊維状活性炭等からなる。又、上記締付ボルト３５，３６の本数は、胴体部取付け用及びフランジ取付け用で共に全周に亘って６本である。尚、浄化器内での流体の流れを矢印で示している。
【０００３】
【発明が解決しようとする課題】
しかしながら、上記従来の浄化器では、以下のような種々の問題点があった。（１）カートリッジ等を交換する場合に、上部側のフランジ３４を胴体部３１から取り外して、内部のカートリッジ等を上方に抜き出すようにしているために、浄化器の設置場所の上方にカートリッジ等の長さに相当する余分なスペースが必要であった。（２）上記充填物の交換時において、先ずボルト３５を緩めてフランジ３４を取外し、充填物の交換後、フランジ３４の再取付けを行う必要があるため、交換に多くの手間と作業時間を要していた。（３）上記ボルト３５，３６（全周で６本）の締め付け力にアンバランスがあって片締め状態になると、内部の流体が漏れるおそれがあった。（４）浄化器を構成する部品として、ベース体３０の他に、フランジ３４、胴体部３１、複数のボルト３５，３６が必要であり、部品点数が多くなっていた。
【０００４】
本発明は、上記問題点に鑑みてなされたものであり、その目的は、余分な設置スペースを必要とせず、少ない手間で短時間に充填物の交換作業等を行うことが可能であり、且つ、使用中において内部の流体が漏れるおそれを回避させることが可能な浄化器を提供することである。
【０００５】
【課題を解決するための手段】
本発明に係る浄化器の第一の特徴構成は、特許請求の範囲の欄の請求項１に記載した如く、処理対象の流体が流入する流入口と前記流体が流出する流出口とを備えたベース体に、前記流体を濾過処理するための濾過体を内蔵した浄化器本体を結合させた構造を有し、
前記浄化器本体が、
筒長手方向の一端部を開口した有底筒状のケースと、処理材を収容して前記ケース内に収納保持される筒状の濾過体とからなり、
前記濾過体が、
処理材を収容した筒状の処理材収納体と、前記ケース内に挿入した前記筒状の処理材収納体を押圧保持するキャップ部材を備え、
前記キャップ部材が、本体側流入口及び本体側流出口を備える浄化器であって、
前記ケースに突部を設けるとともに、前記ケースの突部に密着接当してケースへの各部材の収納状態を保持する突部を前記キャップ部材に設け、
前記浄化器本体の端部と、前記ベース体に形成した受け部とが接当状態で相対回転自在であり、
前記相対回転における所定回転位置で、
前記ベース体の前記流入口に連なる流路が前記本体側流入口に連通すると共に
前記ベース体の前記流出口に連なる流路が前記本体側流出口に連通し、
且つ、その連通した流路部分が外部から密封される状態で前記浄化器本体と前記ベース体が接近するように、前記ベース体に備えた被係合部に、前記ケースの突部が係合部として係合する浄化器を構成する点にある。
【０００６】
同第二の特徴構成は、特許請求の範囲の欄の請求項２に記載した如く、上記第一の特徴構成に加えて、前記ベース体の前記流入口に連なる流路と前記流出口に連なる流路が、前記受け部において、前記相対回転の軸心を中心として互いに異なる半径の同軸状領域として形成され、前記本体側流入口と前記本体側流出口の夫々が、前記同軸状領域の前記流入口と前記流出口の夫々に連なる流路に連通するように、前記相対回転の軸心を中心として互いに異なる半径の同軸状領域として形成されている点にある。
【０００７】
同第三の特徴構成は、特許請求の範囲の欄の請求項３に記載した如く、上記第一又は第二の特徴構成に加えて、前記係合部と前記被係合部とが係合した状態を保持する係合状態保持手段を備えている点にある。
【０００８】
同第四の特徴構成は、特許請求の範囲の欄の請求項４に記載した如く、処理対象の流体が流入する流入口と前記流体が流出する流出口とを備えたベース体に結合され、前記流体を濾過処理するための濾過体を内蔵した浄化器本体であって、
筒長手方向の一端部を開口した有底筒状のケースと、処理材を収容して前記ケース内に収納保持される筒状の濾過体とからなり、
前記濾過体が、
処理材を収容した筒状の処理材収納体と、前記ケース内に挿入した前記筒状の処理材収納体を押圧保持するキャップ部材を備え、
前記キャップ部材が、本体側流入口及び本体側流出口を備え、
前記ケースに突部を設けるとともに、前記ケースの突部に密着接当してケースへの各部材の収納状態を保持する突部を前記キャップ部材に設け、
端部と、前記ベース体に形成した受け部とが接当状態で相対回転自在であり、
前記相対回転における所定回転位置で、
前記ベース体の前記流入口に連なる流路が前記本体側流入口に連通すると共に
前記ベース体の前記流出口に連なる流路が前記本体側流出口に連通し、
且つ、その連通した流路部分が外部から密封される状態で前記ベース体に接近するように、前記ベース体に備えた被係合部に、前記ケースの突部が係合部として係合する浄化器本体を構成する点にある。
【０００９】
以下に作用並びに効果を説明する。本発明に係る浄化器の第一の特徴構成によれば、処理対象の流体が流入する流入口と前記流体が流出する流出口とを備えたベース体に、前記流体を濾過処理するための濾過体を内蔵した浄化器本体を結合させた構造を有し、
前記浄化器本体が、
筒長手方向の一端部を開口した有底筒状のケースと、処理材を収容して前記ケース内に収納保持される筒状の濾過体とからなり、
前記濾過体が、
処理材を収容した筒状の処理材収納体と、前記ケース内に挿入した前記筒状の処理材収納体を押圧保持するキャップ部材を備え、
前記キャップ部材が、本体側流入口及び本体側流出口を備える浄化器であって、
前記ケースに突部を設けるとともに、前記ケースの突部に密着接当してケースへの各部材の収納状態を保持する突部を前記キャップ部材に設け、
前記浄化器本体の端部と、前記ベース体に形成した受け部とが接当状態で相対回転自在であり、
前記相対回転における所定回転位置で、
前記ベース体の前記流入口に連なる流路が前記本体側流入口に連通すると共に
前記ベース体の前記流出口に連なる流路が前記本体側流出口に連通し、
且つ、その連通した流路部分が外部から密封される状態で前記浄化器本体と前記ベース体が接近するように、前記ベース体に備えた被係合部に、前記ケースの突部が係合部として係合する浄化器を構成する。
【００１０】
すなわち、浄化器本体の端部とベース体の受け部を接当させた状態で所定回転位置に相対回転させることにより、浄化器本体の係合部とベース体の被係合部とが係合して、ベース体に浄化器本体が結合されると共に、ベース体の流入口から浄化器本体の本体側流入口、浄化器本体に内蔵の処理材、浄化器本体の本体側流出口を経てベース体の流出口に連通する流路が外部から密封される状態で形成される。一方、浄化器本体の端部とベース体の受け部を上記所定回転位置以外の回転位置に相対回転させることにより、浄化器本体の係合部とベース体の被係合部との係合が外れて、浄化器本体をベース体から分離することができる。
【００１１】
従って、浄化器本体の端部をベース体の受け部に対して脱着できるようにしたので、例えば浄化器本体に内蔵の処理材等を交換するような場合に、浄化器本体をベース体から上記脱着に要する高さ分離間させるだけで浄化器本体を取り外すことができ、浄化器の設置場所に余分な設置スペースを必要としない。また、浄化器本体の端部とベース体の受け部とを接当状態で相対回転させるだけで、ベース体と浄化器本体の着脱を行うことができるので、少ない手間で短時間に充填物の交換作業等を行うことが可能である。さらに、浄化器本体の端部とベース体の受け部の接当状態での相対回転に伴って、両者に備えた係合部と被係合部が係合して両者を結合するため、浄化器本体の端部とベース体の受け部の結合面の全体に均一な力が加わり、片締め状態にならないようにすることができ、使用中において内部の流体が漏れるおそれを回避させることが可能である。
【００１２】
さらに、筒長手方向の一端部を開口した有底筒状のケース内に、前記処理材を収容すると共に端部に前記本体側流入口及び前記本体側流出口を備えた筒状の濾過体を収納保持させて浄化器本体を構成すると共に、その浄化器本体を前述のようにベース体の受け部に接当させて相対回転させると、ケースに備えた係合部がベース体側の被係合部と係合する構造を有する事により、処理材を収容する濾過体だけを交換してケースは継続使用することができるので、処理材が劣化して浄化器の処理能力が低下したような場合に、浄化器本体の全部を交換する場合に比べて部材の有効利用が可能となり、浄化器の好適な実施形態が得られる。この時、ケース及びキャップ部材に設けられた突部が、密着接当されていることにより有効に働く。
【００１３】
そして、前記有底筒状のケース内に、処理材を収容した筒状の処理材収納体を挿入したのち、その処理材収納体の後端部を、前記本体側流入口及び前記本体側流出口を備えたキャップ部材によって押圧保持して濾過体を構成することにより、濾過体を構成する部材のうち、処理材を収容した実質的な部材である筒状の処理材収納体だけを交換して、処理材に対する流体の流入及び流出口を備えたキャップ部材は継続使用することができるので、処理材が劣化して浄化器の処理能力が低下したような場合に、濾過体の全部を交換する場合に比べて一層、部材の有効利用が可能となり、浄化器の好適な実施形態が得られる。
【００１４】
同第二の特徴構成によれば、前記浄化器本体の端部とベース体の受け部との相対回転の軸心を中心として互いに異なる半径の同軸状領域として形成された浄化器本体側の前記本体側流入口と前記本体側流出口の夫々が、前記受け部において前記相対回転の軸心を中心として互いに異なる半径の同軸状領域として形成されたベース体の前記流入口に連なる流路と前記流出口に連なる流路の夫々に連通する。従って、浄化器本体の端部とベース体の受け部を接当させた状態で相対回転させたときに、任意の回転位置において、ベース体側の流入口に連なる流路と流出口に連なる流路の夫々が、浄化器本体側の本体側流入口と本体側流出口の夫々に必ず連通する状態となるので、浄化器本体側の係合部とベース体側の被係合部とが結合する回転位置が変動した場合でも、上記連通状態を確実に維持することができ、浄化器の好適な実施形態が得られる。
【００１５】
同第三の特徴構成によれば、浄化器本体の端部とベース体の受け部を接当状態で相対回転させて、浄化器本体側の係合部とベース体側の被係合部とを係合させた状態が係合状態保持手段によって保持される。従って、浄化器の使用中において、何らかの原因によって上記係合状態が外れて内部の流体が漏れたり、あるいは、何者かが故意に上記係合状態を外して浄化器内に異物を混入させるようなトラブルの発生を防止することが可能となり、浄化器の好適な実施形態が得られる。
【００１６】
同第四の特徴構成によれば、処理対象の流体が流入する流入口と前記流体が流出する流出口とを備えたベース体に結合され、前記流体を濾過処理するための濾過体を内蔵した浄化器本体であって、
筒長手方向の一端部を開口した有底筒状のケースと、処理材を収容して前記ケース内に収納保持される筒状の濾過体とからなり、
前記濾過体が、
処理材を収容した筒状の処理材収納体と、前記ケース内に挿入した前記筒状の処理材収納体を押圧保持するキャップ部材を備え、
前記キャップ部材が、本体側流入口及び本体側流出口を備え、
前記ケースに突部を設けるとともに、前記ケースの突部に密着接当してケースへの各部材の収納状態を保持する突部を前記キャップ部材に設け、
端部と、前記ベース体に形成した受け部とが接当状態で相対回転自在であり、
前記相対回転における所定回転位置で、
前記ベース体の前記流入口に連なる流路が前記本体側流入口に連通すると共に
前記ベース体の前記流出口に連なる流路が前記本体側流出口に連通し、
且つ、その連通した流路部分が外部から密封される状態で前記ベース体に接近するように、前記ベース体に備えた被係合部に、前記ケースの突部が係合部として係合することで浄化器本体を構成することで、この浄化器本体を使用して第一の特徴構成を有する浄化器を得ることができる。
【００１７】
【発明の実施の形態】
本発明に係る浄化器の実施の形態について図面に基づいて説明する。図１に示すように、浄化器の基本構造は、処理対象の流体（具体的には、水）が流入する流入口１Ａと前記流体が流出する流出口１Ｂとを備えたベース体１に、前記流体を濾過処理するための処理材Ｓ（後述の繊維状活性炭やセラミックスフィルター）を内蔵した浄化器本体Ｈを結合させた構造である。尚、浄化器本体Ｈの端部（図では下端部）には、前記流体が流入する本体側流入口ｈ１と前記流体が流出する本体側流出口ｈ２とが形成されている。又、浄化器内での流体の流れを矢印で示している。
【００１８】
上記浄化器本体Ｈは、具体的には、筒長手方向の一端部を開口した有底筒状のケース４と、前記処理材Ｓを収容すると共に端部に前記本体側流入口ｈ１及び前記本体側流出口ｈ２を備えて前記ケース４内に収納保持される筒状の濾過体Ｒとからなり、さらに、前記濾過体Ｒが、前記処理材Ｓを収容した筒状の処理材収納体２，３と、ケース４内に挿入した前記筒状の処理材収納体２，３の後端部を押圧保持すると共に前記本体側流入口ｈ１及び前記本体側流出口ｈ２を備えたキャップ部材５，６とからなる。
【００１９】
上記有底筒状のケース４は、図３に示すように、両端開放の円筒筒体４Ａの一方の端部を塞ぐようにフランジ（鏡板）４Ｂを溶接によって固着して一体的に形成した構造としている。この構造により、上記円筒筒体４Ａとフランジ４Ｂを別体に構成して、両者をボルト等の締め付け具によって固定するような従来構造に比べて、部品点数が削減されるとともに、組立て作業の手間と時間が少なくなる利点が得られる。
【００２０】
上記筒状の処理材収納体２，３は、ケース４の中心軸上に位置するセラミックスフィルター入りの円筒カートリッジ３と、前記セラミックスフィルター入りの円筒カートリッジ３の外側に配置され、ケース４の中心軸に対して同軸に位置する断面ドーナツ状の繊維状活性炭入りの円筒カートリッジ容器２とからなる。各円筒カートリッジ２，３の上下両端部には、夫々エンドキャップ２ａ，２ｂ，３ａ，３ｂが付設されている。
【００２１】
上記キャップ部材５，６は、図４及び図５にも示すように、ケース４の内側に位置して活性炭入りの円筒カートリッジ容器２の下エンドキャップ２ｂを受け止めるケース内キャップ６と、このケース内キャップ６を外側から押さえ付けるケースキャップ５からなる。そして、この両キャップ５，６の間の間隙によって、前記本体側流入口ｈ１が形成され、ケース内キャップ６の中央孔によって、前記本体側流出口ｈ２が形成されている。図４において、（ロ）は（イ）のＡ−Ａ断面図である。尚、上記浄化器本体Ｈの上端側及び下端側における組立て構造の拡大図を図６及び図７に示す。
【００２２】
次に、前記ベース体１に浄化器本体Ｈを結合させる構造について説明する。  前記本体側流入口ｈ１及び前記本体側流出口ｈ２が形成された浄化器本体Ｈの端部（下端部）と、ベース体１に形成した受け部１Ｃとが接当状態で相対回転自在である。すなわち、縦姿勢の浄化器本体Ｈの下端部を凹状に形成された受け部１Ｃに上方から挿入して受け止めた状態で、円筒形状の浄化器本体Ｈの中心軸（縦軸）周りに相対回転自在に構成されている。  そして、前記浄化器本体Ｈの端部とベース体１との相対回転における所定回転位置で、ベース体１の流入口１Ａに連なる流路１ａが前記本体側流入口ｈ１に連通すると共にベース体１の流出口１Ｂに連なる流路１ｂが前記本体側流出口ｈ２に連通し、且つ、その連通した流路部分が外部から密封される状態で浄化器本体Ｈとベース体１が接近するように、浄化器本体Ｈに備えた係合部Ｋ１とベース体１に備えた被係合部Ｋ２とが係合する構造となっている。
【００２３】
具体的には、図１及び図２に示すように、ベース体１の前記流入口１Ａに連なる流路１ａと前記流出口１Ｂに連なる流路１ｂが、前記受け部１Ｃにおいて、前記相対回転の軸心Ｐを中心として互いに異なる半径の同軸状領域として形成されている。すなわち、流出口１Ｂに連なる流路１ｂが上記軸心Ｐから所定半径の円形領域に形成され、流入口１Ａに連なる流路１ａが上記流出口１Ｂに連なる流路１ｂの円形領域が間隔を隔てて囲むドーナツ状領域に形成されている。一方、前記浄化器本体Ｈの本体側流入口ｈ１と本体側流出口ｈ２の夫々が、前記同軸状領域に形成されたベース体１の流入口１Ａと流出口１Ｂの夫々に連なる流路１ａ，１ｂに連通するように、前記相対回転の軸心Ｐを中心として互いに異なる半径の同軸状領域に形成されている。すなわち、本体側流出口ｈ２が上記軸心Ｐから所定半径の円形領域に形成され、本体側流入口ｈ１が上記本体側流出口ｈ２の円形領域が間隔を隔てて囲むドーナツ状領域に形成されている。以上の構成により、浄化器本体Ｈの端部とベース体１との相対回転の位置にかかわらず、ベース体１の流入口１Ａに連なる流路１ａが本体側流入口ｈ１に連通し、ベース体１の流出口１Ｂに連なる流路１ｂが本体側流出口ｈ２に連通する状態が常に維持されることになる。
【００２４】
前記被係合部Ｋ２は、具体的には、図２に示すように、ベース体１の平面視における全周４箇所に形成した所定長さの庇部７によって構成される。すなわち、各庇部７の下面がテーパ状に形成されて、浄化器本体Ｈの端部が接当する接当面ｓｍと庇部７の下面との距離Ｌ２が周方向で変化している。図２において、（ロ）は（イ）のＡ−Ａ断面図である。  一方、上記ベース体１側の被係合部Ｋ２と係合する前記係合部Ｋ１は、前記ケース４に備えられ、具体的には、図３に示すように、ケース４の下端部に平面視における全周４箇所に形成した所定長さの突部４Ｃによって構成される。すなわち、各突部４Ｃの上面が前記ベース体１側の各庇部７の下面テーパ形状と同じ傾斜角度のテーパ状に形成され、且つ、ケース４の端面ｔｍと突部４Ｃのテーパ面との距離Ｌ１が、前記浄化器本体Ｈの接当面ｓｍと庇部７の下面との距離Ｌ２と同程度の距離であって周方向で変化している。
【００２５】
次に、浄化器の組立てについて説明する。  図８〜図１０に示すように、先ず、活性炭入りの円筒カートリッジ容器２の下エンドキャップ２ｂの内側凹部に、セラミックスフィルター入りの円筒カートリッジ３の下端部を差し込んで結合させたのち、その下エンドキャップ２ｂの外側凸部を前記ケース内キャップ６で受け止め、さらに、そのケース内キャップ６にケースキャップ５を当てて押し込みながら、ケース４内に挿入して収納させる。尚、このとき、ケースキャップ５の周囲２箇所（１８０度回転対称の位置）に形成した突部５Ａが、ケース４側の前記突部４Ｃの内側部分に密着接当して外れないようにして、ケース４への各部材の収納状態を保持している。
【００２６】
次に、上記のように組立てた浄化器本体Ｈのケース４の各突部４Ｃを、ベース体１の各庇部７が形成されていない位置に合わせた状態で、浄化器本体Ｈの下端部をベース体１の受け部１Ｃに挿入して接当させ、その接当状態で両者を相対回転させると、ケース４の各突部４Ｃの上部テーパ面がベース体１の各庇部７の下部テーパ面に当たり、回転に伴って、浄化器本体Ｈの下端部がベース体１の受け部１Ｃに接近する力が働いて、浄化器本体Ｈの下端部とベース体１の受け部１Ｃとが密着状態で締付固定されることになる。
【００２７】
さらに、前記係合部Ｋ１と前記被係合部Ｋ２とが係合した状態を保持する係合状態保持手段ＫＨを備えている。具体的には、係合状態保持手段ＫＨは、図９及び図１０に示すように、断面Ｌ型形状のカンヌキ部材１０で構成され、上記係合状態でベース体１の庇部７が形成されていない箇所に生じるケース４の側面とベース体１の内面との間の隙間に、上記カンヌキ部材１０を差し込んで、ケース４の突部４Ｃが係合位置から逆方向に回転しないように保持している。更に、カンヌキ部材１０には、上記差し込み状態で、ベース体１に設けた孔１Ｄと位置が一致する孔１１が設けられており、この両孔１Ｄ，１１をボルトで締めて固定して（図７及び図１０参照）カンヌキ部材１０を容易に外せないようにする、あるいは、両孔１Ｄ，１１間に錠をかけてカンヌキ部材１０が絶対外れないようにすることで、浄化器の使用の安全を確保することができる。
【００２８】
〔別実施形態〕
以下に別実施形態を説明する。上記実施形態では、処理対象の流体が水である浄水器の例について説明したが、水以外の各種流体（液体、気体）の浄化器に適用することができる。
【００２９】
上記実施形態では、浄化器本体Ｈの有底筒状のケース４を、両端開放の円筒筒体４Ａの一方の端部に鏡板４Ｂを溶接して一体的に形成した構造としたが、溶接等で一体形成するのではなく、円筒筒体４Ａの端部に鏡板４Ｂをボルト等によって取り付ける構造であってもよい。
【図面の簡単な説明】
【図１】  本発明に係る浄化器の全体構成を示す側面断面図
【図２】  ベース体の平面図及び側面断面図
【図３】  ケースの側面図、底面図及び側面一部拡大図
【図４】  ケースキャップの底面図及び側面断面図
【図５】  ケース内キャップの側面断面図
【図６】  浄化器本体の上端部を示す側面断面図
【図７】  浄化器本体の下端部及びベース体との結合構造を示す側面断面図
【図８】  浄化器の組立て状態を示す斜視図
【図９】  浄化器の組立て状態を示す斜視図
【図１０】  浄化器の組立て状態を示す斜視図
【図１１】  従来技術に係る浄化器の全体構成を示す側面断面図
【符号の説明】
１        ベース体
１Ａ      流入口
１Ｂ      流出口
１Ｃ      受け部
１ａ      流路
１ｂ      流路
２，３    処理材収納体
４        ケース
５，６    キャップ部材
ｈ１      本体側流入口
ｈ２      本体側流出口
Ｈ        浄化器本体
Ｋ１      係合部
Ｋ２      被係合部
ＫＨ      係合保持手段
Ｒ        濾過体
Ｓ        処理材
【図１】
0003827997.tif 000002
【図２】
0003827997.tif 000003
【図３】
0003827997.tif 000004
【図４】
0003827997.tif 000005
【図５】
0003827997.tif 000006
【図６】
0003827997.tif 000007
【図７】
0003827997.tif 000008
【図８】
0003827997.tif 000009
【図９】
0003827997.tif 000010
【図１０】
0003827997.tif 000011
【図１１】
0003827997.tif 000012